(57)【要約】【課題】壁面に取付けられるディスプレイにおいて、ディスプレイの指向方向を水平方向に対して適宜変更し得る、ディスプレイの取付装置及びその取付構造を提供する。【解決手段】ディスプレイａが取付けられる取付部材３と、壁面１に取付けられる係合部材２とを備え、取付部材３を係合部材２に水平方向に回動可能に取付ける回動接続部４を有する取付装置Ｐにより、ディスプレイａが壁面１に取付けられれば、居住空間において居間、食堂、台所が一室となったＬＤＫのような広い部屋に取り付けられる場合に、居住者が居る場所に併せてディスプレイａの指向方向を適宜変更できるため、ディスプレイ２の効率利用がなされる。【選択図】        図２
2007094285.tif 000002
【特許請求の範囲】
【請求項１】
壁面にディスプレイを取付けるための取付装置であって、ディスプレイが取付けられる取付部材と、壁面に取付けられる係合部材と、取付部材を係合部材に対して水平方向に回動可能に取付ける回動接続部とを備えたことを特徴とするディスプレイ取付装置。
【請求項２】
係合部材は、壁面の水平方向に亘って形成された係止溝に、係合部材の係合片が挿入係止されて、壁面に取付けられたことを特徴とする請求項１に記載のディスプレイ取付装置。
【請求項３】
取付部材の外面に、弾性力により付勢されて押圧部材の押付面が押付けられ、前記取付部材の外面と押付面とは断面半円形状で形成されると共に互いに噛み合う凹凸条が形成され、係合部材に対して取付部材が回動する際は、前記弾性力に抗して前記噛み合いを解きつつ回動されるようになされたことを特徴とする請求項１又は２に記載のディスプレイ取付装置。
【請求項４】
回動接続部は、取付部材の側端部に位置し、取付部材は係合部材と平行に位置する状態を基準として一方方向にのみ回動可能となされたことを特徴とする請求項１〜３のいずれか１項に記載のディスプレイ取付装置。
【請求項５】
回動接続部は、取付部材の中央部に位置し、取付部材は係合部材と平行に位置する状態を基準として左右両方向に回動可能となされたことを特徴とする請求項１〜３のいずれか１項に記載のディスプレイ取付装置。
【請求項６】
前記請求項１〜５のいずれか１項に記載のディスプレイ取付装置により、ディスプレイが壁面に取付けられ、このディスプレイの指向方向が水平方向に対して適宜変更可能となされたことを特徴とするディスプレイの取付構造。
【発明の詳細な説明】
【技術分野】
【０００１】
本発明は、プラズマディスプレイや液晶ディスプレイのような薄型ディスプレイを壁面に取付けるために使用されるディスプレイ取付装置及びディスプレイの取付構造に関するものである。
【背景技術】
【０００２】
従来、テレビ等のディスプレイ装置は、専用台に載置するかキャビネット内に収納されていることが多かった。しかしながら近年プラズマディスプレイや液晶ディスプレイ等の大型かつ薄型のディスプレイが普及しており、その設置方法は、従来のように専用台を用いて床にディスプレイを設置するのみではなく、これらディスプレイの比較的軽量で薄型である特徴を生かして、居間や食堂等の壁面にも取付けられ、これに伴い種々の取付装置が提案されている（例えば、特許文献１参照。）。
【０００３】
この特許文献１に記載された取付装置は、上下端に係止部を備えた一対の板状ベースと、前記板状ベースの係止部に挿入されるパイプと、前記パイプに軸支するための表示パネル（ディスプレイ）の背面下部に設けた軸支部と、前記表示パネル背面の上部に設けたフックと、前記フックと板状ベースの係止部とから構成され、下部のパイプを介しパネル背面の軸支部を軸支すると共に、パネル背面のフックを板状ベースの係止部からのひも状部材により張り渡し、表示パネルを取付けるようにしたものである。
【特許文献１】特開平１０−１７４０２１号公報
【発明の開示】
【発明が解決しようとする課題】
【０００４】
しかしながら、上記の如き取付装置では、ひも状部材の張り渡し長さを調整することにより、ディスプレイの指向方向を軸支部を支点に垂直方向への傾斜角度を自在調整できるものの、ディスプレイの指向方向を水平方向に調整することは全く考慮されていなかった。すなわち、最近、居住空間において、一室で居間・食堂・台所を兼ねた一般にＬＤＫと呼ばれる広い部屋が取入れられており、その場合、居住者が居る居間、台所、ダイニングのどの空間に対しても指向するようなディスプレイ、つまり水平方向に回動可能なディスプレイが要望されることがあるが、上記の如き取付装置では、かかる要望を満足させることはできず、ディスプレイの指向方向を水平方向に調整することはできなかった。
【０００５】
本発明は、上記の如き問題点を解消し、壁面に取付けられるディスプレイにおいて、ディスプレイの指向方向を水平方向に対して適宜変更し得る、ディスプレイ取付装置及びディスプレイの取付構造を提供せんとするものである。
【課題を解決するための手段】
【０００６】
上記目的を達成するために、本発明は次のような構成としている。
すなわちこの発明に係る取付装置は、壁面にディスプレイを取付けるための取付装置であって、ディスプレイが取付けられる取付部材と、壁面に係止される係合部材と、取付部材を係合部材に水平方向に回動可能に取付ける回動接続部とを備えたことを特徴とするものである。
【０００７】
又本発明に係るディスプレイの取付構造は、前記取付装置により、ディスプレイが壁面に取付けられ、このディスプレイの指向方向が水平方向に対して適宜変更可能となされたことを特徴とするものである。
【発明の効果】
【０００８】
本発明によれば、本発明に係るディスプレイ取付装置により壁面に取付けられるディスプレイにおいて、居間、食堂、台所が一室となったＬＤＫのような広い部屋に取り付けられる場合や、部屋の構造によりディスプレイの取付位置が制限されている場合に、居住者が居る場所に併せてディスプレイの指向方向を適宜変更できるため、ディスプレイの効率利用がなされ、かつ居住空間の有効利用も図ることができる。又、ディスプレイの取付位置と窓の配置との位置関係によっては、ディスプレイの指向角度を変更することにより、窓から差し込む光による反射を軽減する効果も見込まれる。
【０００９】
本発明に係るディスプレイ取付装置において、壁面の水平方向に亘って形成された係止溝に、係合部材の係合片が挿入係止されて、取付装置が壁面に取付けられれば、前記係止溝に沿って、係合部材の係止位置を適宜に調整できるため、ディスプレイの取付位置の調整が容易である。
【００１０】
又、本発明に係るディスプレイ取付装置において、取付部材の外面に、弾性力により付勢されて押圧部材の押付面が押付けられ、前記取付部材の外面と押付面とは断面半円形状で形成されると共に互いに噛み合う凹凸条が形成され、係合部材に対して取付部材が回動する際は、前記弾性力に抗して前記噛み合いを解きつつ回動されるようになされれば、該取付装置によって壁面に取付けられたディスプレイの指向方向を変更する際は、弾性力に抗した力で凹凸条の噛み合いを解きつつ取付部材を回動させればよく、そして指向方向の変更後は、力を解くと、その指向方向付近において、凹凸条の噛み合う位置で固定される。
【００１１】
更に、本発明に係るディスプレイ取付装置において、回動接続部が取付部材の側端部に位置すれば、取付部材は係合部材と平行に位置する状態を基準として一方方向にのみ回動可能となされ、又、回動接続部が取付部材の端部以外の箇所、好適には中央部に位置すれば、取付部材は係合部材と平行に位置する状態を基準として左右両方向に回動可能となされるので、ディスプレイの取付位置及び必要とされるディスプレイの指向方向の範囲に応じて、取付装置の形態を適宜選択することが可能となる。
【発明を実施するための最良の形態】
【００１２】
以下に本発明を実施するための最良の形態について、図面を参照して具体的に説明する。
すなわち、図１は本発明に係るディスプレイ取付装置の実施の一形態を示す斜視図、図２は図１の一部断面平面図、図３は図１におけるディスプレイの取付構造を示す分解斜視図、図４は図１における係合部材の分解斜視図、図５は図１の主要部の分解斜視図、図６は本発明に係るディスプレイ取付装置の実施の他の形態を示す斜視図、図７は図６の平面図、図８は図６の一部分解斜視図である。
【００１３】
図面において、Ｐは本発明に係るディスプレイ取付装置であって、壁面１に取付けられる係合部材２と、ディスプレイａが取付られる取付部材３と、係合部材２に対し取付部材３を水平方向に回動可能に取付ける回動接続部４とから構成されている。
【００１４】
まず、壁面１は図２及び図４に示されるように、水平方向に亘って形成された凹溝１１を備え、凹溝１１は係合部材２が係合される係止ピン１２を備え、係止ピン１２は凹溝１１の上下の側壁をほぼ垂直に貫通するように取付けられている。係止ピン１２は、凹溝１１に一定間隔をあけて複数個設けられているため、係止部材２の取付位置を水平方向に調整できる。又、凹溝１１は上下に複数個一定間隔で並設されているため、係止部材２の取付位置を上下方向に調整できる。
【００１５】
凹溝１１の材質は、一般的にはアルミニウムや合成樹脂を押出成型して得られる長尺の型材を適宜長さに切断した部材に、係止ピンを設けたものであるが、凹溝１１にはアルミニウム以外の金属、または金属や無機材料と合成樹脂との複合材料、凹溝１１の長さや必要な強度に応じて適宜使用できる。係止ピン１２は、アルミニウムやステンレス合金等の係止部材２が係合された時に、変形や破断が起こりに難い材質を適宜選択して使用できる。
【００１６】
次に、図１〜５に示されている本発明に係るディスプレイ取付装置について説明する。
係合部材２は、図１及び図４に示されるように、断面ロ字状の桟材を組合せて形成された略四角形状であり、壁面１の凹溝１１に挿入係止される係合片２１が設けられた２個の係合縦桟２２と、回動接続部３が設けられ２個の係合縦桟２２の間に位置する中央縦桟２３と、２個の係合縦桟２２及び中央縦桟２３の上下に配置された２個の横桟２４とからなる。係合縦桟２２は水平方向に貫通した支持孔２５を上下に有し、上下の支持孔２５に横桟２４がそれぞれ通されて横桟２４に対し水平方向に摺動可能に取付けられ、かつ中央縦桟２３は上下の横桟２４の中央部にそれぞれ接合されることによって、係合部材２が形成されている。又、係合縦桟２２は、支持孔２５にねじ孔２６を有し、支持孔２５の外側からねじ２６を螺入させ支持孔２５に通された横桟２４を支持孔２５の内壁に圧着させて、横桟２４に対する取付位置が不動となされる。
【００１７】
又、係合縦桟２２の係合片２１は、壁面１の凹溝１１に挿入された際に凹溝１１の係止ピン１２と係合される鉤部２７を有し、鉤部２７が係止ピン１２により係止され、係合部材２が壁面１により強固に取付けられる。本形態において、係合片２１は係合縦桟２２の上下に２個設けられ、それぞれ壁面１の凹溝１１に挿入されているが、必要に応じて係合縦桟２２に対し複数個設置され、それぞれ壁面１の凹溝１１に挿入されるようになされてもよい。
【００１８】
取付部材３は、図１及び図３に示されるように、断面ロ字状の桟材を組合せて形成された四角形状であり、垂直方向に並列された３個の縦桟３１と、縦桟３１の上下にそれぞれ接合された２個の横桟３２とからなる。中央の縦桟３１ａは係合部材３の回動接続部４と接続された突部３３が取付けられ、取付部材３は係合部材２に対して水平方向に回動可能となされ、２個の横桟３２はディスプレイａに取付けられた金具３４が掛止されてディスプレイａを支持し、左右の縦桟３１ｂはディスプレイａが取付けられた際、横桟３２が撓みにくく、取付部材３の構造を保持するために設けられている。尚、突部３３は、突部３３の根元に形成されたベース材３３ａを介して縦桟３１ａに取付けられている。
【００１９】
又、金具３４は、取付部材３の上下の横桟３２に掛止される掛止片３５とディスプレイａにビス止め用のビス孔３６とを備えた長尺体である。掛止片３５は金具３４の上端と下方の両側部に突設され、取付部材３の上下の横桟３２上部にそれぞれ掛止されている。掛止片３５の端部は横桟３２の形状に沿わせて下方に屈曲しているため、図３に矢印で示された金具３４の取付方向に対して不必要に動かないようにされている。
【００２０】
ビス孔３６は、金具３４の長さ方向に亘って形成された縦長孔であり、金具３４はビス孔３６を通してディスプレイａにビス止めされる。金具３４は長さ方向を垂直にしてディスプレイａの裏面にビス止めされており、図３に示されるように、金具３４が長さ方向を垂直にして複数個ディスプレイａに取付けられた場合は、ビスを緩めると金具３４が上下方向に摺動可能となるため、隣接する同じ部位の掛止片３５の高さ合わせが容易になされる。
【００２１】
金具３４を取付部材３の横桟３２に掛止した際、金具３４の上から押さえ板３７を取付ければ、金具３４は横桟３２に対して垂直方向に不用意に動かないようになされる。図３に示されるように、押さえ板３７の固定は、押さえ板３７の端部に折曲部を形成させ、横桟３２の縁端部（縦桟３１の外側部）にビス止めされているが、押さえ板の固定方法は適宜選択できる。
【００２２】
回動接続部４は、図１、図２、及び図５に示されるように、係合部材２の中央縦桟２３に取付られた基部４１と、基部４１から水平方向に突設された上下一対の支え部４２と備えている。２個の支え部４２の間には取付部材３の縦桟３１ａに形成された突部３３が挿入され、支え部４２と突部３３には上下方向に対して同軸上に軸孔４３が形成され、更に軸棒４４が軸孔４３を貫通するように取付けられているため、取付部材３は軸棒４４を軸にして図２に示された矢印の方向に回動可能となされる。又、支え部４２の先端は軸孔４３を中心として同円心状に形成されているため、取付部材３を回動させる際、支え部４２と取付部材３の縦桟３１ａが接触して回動を妨げるないようになされている。
【００２３】
尚、中央縦桟２３のみに回動接続部４が取付けられると中央縦桟２３に集中的に重量がかかり、取付けられるディスプレイａの重量によっては取付部材２等に変形等の不具合が発生する恐れがあるため、回動接続部４は中央縦桟２３の上下に接続された横桟２４に亘って取付けられ、中央縦桟２３及び横桟２４に重量を分散させるようになされてもよい。又、係合部材２と取付部材３とをより強固に接続させるために、回動接続部４を上下に複数個配置し、それに対応する突部３３を係合部材３の縦桟３１ａに形成させ、取付部材３が回動可能となるように接続させた形態でもよい。
【００２４】
取付部材３を回動させた際、その回動角度を保持するために、回動接続部４の２個の支え部４２の間に押圧部材４５が配置され、押圧部材４５は回動接続部４の基部４１側に取付けられたスプリングばね４６の弾性力により付勢されて突部３３を押付け、かつ突部３３と押圧部材が接した押付面４７において、突部３３は突部３３の軸孔４３を中心とした断面半円形状で形成され押圧部材４５は突部３３の形状に合わせた凹状の断面半円形状で形成されると共に互いに噛み合う凹凸条４８が長さ方向を上下方向として形成された構造が形成されている。
【００２５】
これにより係合部材２に対して取付部材３が回動する際は、前記弾性力に抗して回動され、押付面４７の凹凸条４８が新たに噛み合う位置で再び回動不動となされる。又、回動接続部４の基部４１には押圧部材４５が収まる溝部４９が設けられいるため、押圧部材４５は側方へ不必要に動かないようになされている。
【００２６】
スプリングばね４６は、押圧部材４５に形成された挿入孔に挿入されて、ばね４６により押圧部材４５が付勢されて突部３３を押付けているが、ばね４６の形態はこれに限定されるものではなく、ゴム弾性を有する高分子材料でもよく、金属板を折り曲げて形成された板ばねでもよい。又、ばね４６の取付面は、本形態に示された押圧部材４５以外に、回動接続部４の基部４１でもよい。
【００２７】
このように図１に示された本発明に係るディスプレイ取付装置Ｐによりディスプレイａが壁面１に取付けられると、ディスプレイａの指向方向を水平方向に変更することが可能で、変更後は取付部材３の突部３３と押圧部材４５との押付面４７の凹凸条４８が噛み合う位置で固定される。
【００２８】
次に図６〜８に示された本発明に係るディスプレイ取付装置の別の形態について説明する。
この取付装置Ｐは、上記の図１〜５に示された取付装置Ｐにおいては、取付部材３の中央部で回動接続部４と接続され、取付部材３は係合部材２と平行に位置する状態を基して左右に回動可能とされているのに対して、この形態の取付装置Ｐは、回動接続部４として蝶番が用いられ、取付部材３の側端部と係合部材２の側端部とが蝶番６４ａにより接続されて取付部材３が回動可能になされている点が異なるが、係合部材２の壁面１への取付形態、及びディスプレイａの取付部材への取付形態は、図２及び図３に示された形態と同様である。
【００２９】
係合部材２は、左右に幅広縦桟６１と断面ロ字状の縦桟６２とが配置され、上下に断面ロ字状の２個の横桟６３が接合された四角形状であり、幅広縦桟６１及び縦桟６２の上下端部には壁面１の凹溝に挿入係止される係合片２１が設けられている。幅広縦桟６１には、２個の蝶番６４ａの一端が回転軸が上下方向で同軸になるように取付けられ、蝶番６４ａの他端は取付部材３と接続されている。尚、蝶番６４ａの取付個数は２個に限定されるものではなく、必要な接続強度等と取付部材３の回動性に不具合が発生しない範囲で変更できる。
【００３０】
このように係合部材２の一端に取付部材３が取付けられるため、係合部材２と取付部材３とを接続する蝶番６４ａは強度の高い幅広縦桟に取付けられて取付部材３を支えると共に、幅広縦桟６１に多くの係合片２１が設けられ、係合部材２の幅広縦桟６１側により多くかかる重量を分散させて壁面１に取付けられるようになされている。
【００３１】
取付部材３は、断面ロ字状の桟材を組合せて形成された四角形状の構造であり、垂直方向に並列された４個の縦桟３１と、縦桟３１の上下にそれぞれ接合された２個の横桟３２とからなる。取付部材３の側端部に位置する縦桟３１ｃには２個の蝶番６４ａの他端が取付けられ、蝶番の一端が係合部材と接続されいるため、蝶番６４ａを軸として係合部材２に対し回動可能となる。尚、ディスプレイａの取付は、図３に示された取付装置Ｐと同様に、ディスプレイａに取付けられた金具３４を取付部材３の横桟３２に掛止させればよい。
【００３２】
そして図７に示された矢印の方向に取付部材３を回動させた際、その回動角度を保持するために、角度保持構造が形成されている。すなわち、係合部材２の幅広縦桟６１には、蝶番６４ｂにより水平方向に回動可能な支え棒６５が取付けられ、取付部材３には内側の２個の縦桟３１ｄを亘って接合され係合部材２側に開口したガイド溝６６に水平方向に摺動可能な摺動部材６７が設けられ、支え棒６５の端部に摺動部材６７が蝶番６４ｃを介して接続されている。又、摺動部材６７には上下方向へ貫通した孔部に球状体６８が接合されたスプリングばねが配置され、２個の球状体６８がガイド溝６６の内側壁を押圧するように取付けられている。更に、ガイド溝６６の両側壁部には摺動部材の球状体よりやや小さい直径の丸孔６９が上下に相対向して複数個形成されている。
【００３３】
このようにして取付部材３と係合部材２とが接続されると、図６に示された取付部材３の回動方向に合わせて摺動部材６７がガイド溝６６内を摺動する。そして摺動部材６７の球状体６８が丸孔６９の位置にくると、球状体６８が丸孔６９に填り込みその位置で取付部材３は摺動不能となされる。更に取付部材３に力を加えると球状体６８が丸孔６９から外れ、再びガイド溝６６内を摺動し取付部材３が回動可能となる。これにより取付部材３は係合部材２に対して回動可能となり、所定の位置で固定される機構となされる。
【００３４】
このように図５及び図６に示された本発明に係るディスプレイ取付装置Ｐににおいて、取付装置Ｐによりディスプレイａが壁面１に取付けられると、ディスプレイａの指向方向を変更することが可能で、変更後は、その指向方向付近において摺動部材６５の球状体６７がガイド溝６６の丸孔６９に填り込んだ箇所で固定される。
【００３５】
係合部材２、取付部材３、及び回動接続部４で用いられる材料は、強度等を考慮して鋼材が好ましいが、鋼材以外の材料、例えば、アルミニウム、ステンレス等の金属材料も、各部材の一部あるいは全部に適宜使用することができる。
【産業上の利用可能性】
【００３６】
本発明によれば、本発明に係る取付装置により壁面に取付けられるディスプレイにおいて、人がディスプレイを直接支持して指向方向を適宜変更できるため、例えば、一般住宅で、居間、食堂、台所が一室となったＬＤＫのような広い部屋の壁面や、ディスプレイの取付位置が制限された部屋の壁面等の、ディスプレイを取付けた後に人が居る方向にディスプレイの指向方向を変える必要がある場合に、好適に利用できる。又、ディスプレイのみでなくスピーカー等の指向性のあるものを取付ける場合にも、好適に利用できる。
【図面の簡単な説明】
【００３７】
【図１】本発明に係るディスプレイ取付装置の実施の一形態を示す斜視図である。
【図２】図１の一部断面平面図である。
【図３】ディスプレイの取付構造を示す分解斜視図である。
【図４】図１における係合部材の分解斜視図である。
【図５】図１の主要部の分解斜視図である。
【図６】本発明に係るディスプレイ取付装置の実施の他の形態を示す斜視図である。
【図７】図６の平面図である。
【図８】図６の一部分解斜視図である。
【符号の説明】
【００３８】
１    壁
１１  凹溝
１２  係止ピン
２    係合部材
２１  係合片
２２  係合縦桟
２３  中央縦桟
２４  横桟
２５  支持孔
２６  ねじ
２７  鉤部
３    取付部材
３１、３１ａ、３１ｂ、３１ｃ、３１ｄ  縦桟
３２  横桟
３３  突部
３３ａ  ベース材
３４  金具
３５  掛止片
３６  ビス孔
３７  押さえ板
４    回動接続部
４１  基部
４２  支え部
４３  軸孔
４４  軸棒
４５  押圧部材
４６  スプリングばね（ばね）
４７  押圧面
４８  凹凸条
４９  溝部
６１  幅広縦桟
６２  縦桟
６３  横桟
６４ａ、６４ｂ、６４ｃ  蝶番
６５  支え棒
６６  ガイド溝
６７  摺動部材
６８  球状体
６９  丸孔
Ｐ    取付装置
Ｗ    壁面
ａ    ディスプレイ
【図１】
2007094285.tif 000003
【図２】
2007094285.tif 000004
【図３】
2007094285.tif 000005
【図４】
2007094285.tif 000006
【図５】
2007094285.tif 000007
【図６】
2007094285.tif 000008
【図７】
2007094285.tif 000009
【図８】
2007094285.tif 000010